(57)【要約】【課題】  従来の情報の移管システムでは、新旧製品交換や異種製品交換に未対応である点と、機器の専門知識のある人が必要であったり、手間をかけて行わなければならなかったりと情報の移管が簡単ではない点、また、メモリーカードに機器の温度等の使用設定だけを保存したり、機器の外側にインターフェースが必要だったりと、情報とデザインの応用範囲が限定されてた。機器の新旧製品交換時や異機種製品交換時に簡単に情報移管できる情報移管システムを提供することを目的とする。【解決手段】  この発明に係る情報移管システムは、簡単に付け替え可能であり、電源不要で読み書きが可能な無線タグと、無線タグの書換えを行うリーダー／ライターとを有する機器を備え、情報の移管を簡便に行えることを特徴とする。【選択図】        図１
2005106420.tif 000002
【特許請求の範囲】
【請求項１】
簡単に付け替え可能であり、電源不要で読み書きが可能な無線タグと、前記無線タグの書換えを行うリーダー／ライターとを有する機器を備え、情報の移管を簡便に行えることを特徴とする情報移管システム。
【請求項２】
前記無線タグからの情報をデータベース化し、このデータベースをもとに省エネルギー対策の提案を行うことを特徴とする請求項１記載の情報移管システム。
【請求項３】
簡単に付け替え可能であり、電源不要で読み書きが可能な複数の無線タグと、前記無線タグの書換えを行うリーダー／ライターとを有し、前記複数の無線タグからの情報により複数の機器を集中管理する集中管理コントローラーを備えたことを特徴とする情報移管システム。
【発明の詳細な説明】
【技術分野】
【０００１】
この発明は、機器の情報移管システムに関するものである。
【背景技術】
【０００２】
従来の例えば空気調和機等の機器では、新旧製品交換や異種製品交換をする度に、機器の設定を手動で行う必要があった。また、部品単位でも電気的に書換え可能で、電源を切っても記憶が失われないＥＥＰＲＯＭ（ｅｌｅｃｔｒｉｃａｌｌｙ  ｅｒａｓａｂｌｅ  ａｎｄ  ｐｒｏｇｒａｍｍａｂｌｅ  ＲＯＭ）などで運転状態などの情報を移管する必要があり、簡単ではなく、部品単位で行うため、取り外して別の機器に付け替える際、サービスなどの助けが必要であった。
【０００３】
従来の空気調和機では、ＥＥＰＲＯＭを用いてサービス時空気調和機の室内機交換する際、元の室内機の情報を新しい室内機に戻すものがあるが、ＥＥＰＲＯＭにデータを送信し、元に戻す作業が必要で簡単ではなく、機器本体を交換した場合には有効ではない（例えば、特許文献１参照）。
【０００４】
また、他の従来の空気調和機では、メモリーカードを用いて空気調和機の設定を保存し、次回利用時も同じ設定で使用できることを特徴とするものがあるが、メモリーカードではメモリーカード差込用インターフェースが必要であり、機器のデザイン的制約が生じる上に、空気調和機の室内機などの高い位置に据え付けられているインターフェースにメモリーカードを差し込むのは容易ではない（例えば、特許文献２参照）。
【特許文献１】特開２００２−３１０４８９号公報
【特許文献２】特開平６−１５９７７６号公報
【発明の開示】
【発明が解決しようとする課題】
【０００５】
従来の空気調和機等の機器の情報移管システムでは、新旧製品交換や異種製品交換に未対応である点と、機器の専門知識のある人が必要であったり、手間を掛けて行わなければならなかったりと情報の移管が簡単ではない点、また、メモリーカードに機器の温度等の使用設定だけを保存したり、機器の外側にインターフェースが必要だったりと、情報とデザインの応用範囲が限定されているという問題点があった。
【０００６】
この発明は上記のような問題点を解決するためになされたもので、機器の新旧製品交換時や異機種製品交換時に簡単に情報移管できる情報移管システムを提供することを目的とする。
【課題を解決するための手段】
【０００７】
この発明に係る情報移管システムは、簡単に付け替え可能であり、電源不要で読み書きが可能な無線タグと、無線タグの書換えを行うリーダー／ライターとを有する機器を備え、情報の移管を簡便に行えることを特徴とする。
【発明の効果】
【０００８】
この発明の情報移管システムは、簡単に情報移管できるという効果がある。また、簡単に付け替え可能で電源不要な無線タグを用いるので機器外部にカードスロットなどのインターフェースをなくす事もできる。
【発明を実施するための最良の形態】
【０００９】
実施の形態１．
図１は実施の形態１を示す図で、情報移管システムのブロック図である。図において、家電などの機器Ａ  １、別の家電などの機器Ｂ  ２は、電源不要で読み書きが可能な第１の無線タグ３を簡単に付け替えできる。そして、それぞれの機器は、第１の無線タグ３を書換えるリーダー／ライター８を備える。
【００１０】
次に動作について説明する。
このように構成された図１の機器Ａ  １において、機器の新旧製品交換や異種製品交換する際に、簡単に付け替え可能で、電源不要な読み書きが可能な記憶装置である第１の無線タグ３を、図１の機器Ｂ  ２に付け替えるだけで簡単に情報の移管が行える。第１の無線タグ３は機器自身、或いは機器近傍に例えばシール等により取り付ける。また、機器から離れた位置でも認識可能である。
【００１１】
上記のように構成することにより、この情報移管システムは、簡単に情報移管できるという効果があるとともに、簡単に付け替え可能で、電源不要な読み書きが可能な第１の無線タグ３を用いるので機器外部にカードスロットなどのインターフェースをなくすこともできる。
【００１２】
また、機器の新旧製品交換や異種製品交換する際に、第１の無線タグ３の簡単な付け替えで情報を移管できるので、機器のネットワーク設定などを意識することなく、次の機器も同じようにネットワーク上で使うことができる。
【００１３】
また、簡単に付け替え可能で、電源不要な読み書きが可能な第１の無線タグ３を用いることにより、カード差込口等のインターフェースなどが不要になり、機器のデザイン的制約を排除できる。
【００１４】
また、第１の無線タグ３は機器本体の何処に付け替えてもよく、形もデザインも自由度が高い。また、空気調和機の室内機などの高い位置に据え付けられているインターフェースにカード等を差し込むのは容易ではないが、第１の無線タグ３ならば機器から距離が離れているところに付け替えても認識できるため付け替え負荷が軽減される。
【００１５】
また、使用者は簡単に付け替え可能で電源不要な無線タグに記録することにより、簡単に個人設定や、使用状況、サービスの情報、部品の劣化情報、機器の診断結果等の機器に関する様々な情報の販売を行う事が可能になる。
【００１６】
また、簡単に付け替え可能で電源不要な無線タグであるので別の場所に簡単に情報を移行でき、それによりアパートなど違う場所に存在する機器に対しても情報の移管を容易に行う事が可能である。
【００１７】
また、簡単に付け替え可能で電源不要な無線タグにより同じ情報を利用できるので、空調機と車など違う産業用の機器でも情報を簡単に共有できる。
【００１８】
実施の形態２．
簡単に付け替え可能で電源不要な第１の無線タグ３であるので、機器の情報を簡単に第１の無線タグ３によりデータベース化でき、このデータベースをもとに省エネルギー対策等の提案を行うことができる。
【００１９】
実施の形態３．
図２は実施の形態３を示す図で、集中管理の概念を示すブロック図である。図において、機器の集中管理コントローラー５は、機器Ｃ  ６及び機器Ｄ  ７を集中管理する。また、機器の集中管理コントローラー５は、第１の無線タグ３及び第２の無線タグ４を簡単に付け替えでき、これらを書き換えるリーダー／ライター８を備える。
【００２０】
このように、集中管理型の機器などに対しても情報の移管を容易に行うことが可能である。
【産業上の利用可能性】
【００２１】
本発明の活用例として、空調機などの家電機器の情報移管がある。今後、空調機などの機器は多機能化し、タスク処理や液晶等の個人の幅が広がり、設定などが増えると考えられる。また、ネットワークに繋いで集中管理する場合の設定も簡単に付け替え可能で電源不要な非接触型記憶装置で簡単に行うことが可能になる。また、違う産業の車などにも応用でき、車を共有する場合などには空調機や液晶、音楽の設定、それに伴うネットワークの設定などの情報も簡単に移管することができる。
【図面の簡単な説明】
【００２２】
【図１】実施の形態１を示す図で、情報移管システムのブロック図である。
【図２】実施の形態３を示す図で、集中管理の概念を示すブロック図である。
【符号の説明】
【００２３】
１  機器Ａ、２  機器Ｂ、３  第１の無線タグ、４  第２の無線タグ、５  機器の集中管理コントローラー、６  機器Ｃ、７  機器Ｄ、８  リーダー／ライター。
【図１】
2005106420.tif 000003
【図２】
2005106420.tif 000004